(57)【要約】      （修正有）【課題】小物などの物品を支承する棚本体を確実かつ長期にわたって固定させておくことができる物品支承装置および棚本体の取付方法，物品支承装置用の止め具を提供する。【解決手段】壁体ｂの取付面ｂ１へ当接する縦部材３と物品を支承する受部材４とからなる棚本体１と、この棚本体を取付面へ固定させる止め具２とを有し、止め具は、摘み体８と、この摘み体８の一側部に突出させて壁体に突き刺さるピン針体９と、摘み体８においてピン針体９の付け根部に設けて該ピン針体９の軸方向と直交する外方向へ張り出させた係合体１０とを有し、棚本体１は、縦部材３に穿設したピン針体９が挿通する止め孔と、縦部材３の内側における止め孔の近傍に設けてピン針体９が該止め孔を挿通して壁体に突き刺した後、係合体と係合させてピン針体９の抜け止めを行う係止体６とを有する。【選択図】    図１
2004202025.tif 000002
【特許請求の範囲】
【請求項１】
壁体の取付面へ当接する縦部材と物品を支承する受部材とからなる棚本体と、この棚本体を前記取付面へ固定させる止め具とを備えさせた物品支承装置にあって、
前記止め具は、摘み体と、この摘み体の一側部に突出させて前記壁体に突き刺さるピン針体と、前記摘み体において前記ピン針体の付け根部に設けて該ピン針体の軸方向と直交する外方向へ張り出させた係合体とを有し、
前記棚本体は、前記縦部材に穿設した前記ピン針体が挿通する止め孔と、前記縦部材の内側における前記止め孔の近傍に設けて前記ピン針体が該止め孔を挿通して前記壁体に突き刺した後、前記係合体と係合させて、前記ピン針体の抜け止めを行う係止体とを有することを特徴とする物品支承装置。
【請求項２】
壁体の取付面へ当接する縦部材と物品を支承する受部材とからなる棚本体と、この棚本体を前記取付面へ固定させる止め具とを備えさせた物品支承装置にあって、
前記止め具は、摘み体と、この摘み体の一側部に突出させて前記壁体に突き刺さるピン針体と、前記摘み体において前記ピン針体の付け根部に設けて該ピン針体の軸方向と直交する外方向へ張り出させた係合体とを有し、
前記棚本体は、前記縦部材の内側において該棚本体へ傾斜させて突設させた支持体と、この支持体に穿設した前記ピン針体が挿通する止め孔と、この止め孔の近傍に設けて前記ピン針体が該止め孔を挿通して前記壁体に突き刺した後、前記係合体と係合させて前記ピン針体の抜け止めを行う係止体とを有することを特徴とする物品支承装置。
【請求項３】
止め具における係合体は、一箇所または複数箇所において張り出させたことを特徴とする請求項１または２記載の物品支承装置。
【請求項４】
縦部材と物品を支承する受部材とを有する棚本体において、前記縦部材を壁体の取付面へ当接して、前記縦部材の止め孔に該縦部材の裏側から止め具におけるピン針体を挿通して前記壁体に突き刺した後、該止め具の係合体を前記縦部材の内側に設けた係止体に係合させて、前記ピン針体の抜け止めを行うことを特徴とする棚本体の取付方法。
【請求項５】
縦部材と物品を支承する受部材とを有する棚本体において、前記縦部材を壁体の取付面へ当接して、前記縦部材の止め孔に該縦部材の裏側から止め具におけるピン針体を挿通して前記壁体に突き刺した後、該止め具の外端部を前記棚本体に設けたストッパーに係合させて、前記ピン針体の抜け止めを行うことを特徴とする棚本体の取付方法。
【請求項６】
摘み体と、この摘み体の一側部に突出させて前記壁体に突き刺さるピン針体と、前記摘み体において前記ピン針体の付け根部に設けて該ピン針体の軸方向と直交する外方向へ張り出させた係合体とを有し、
前記ピン針体を前記壁体に突き刺した後、棚本体の内側に設けた係止体へ前記係合体が係合させて、前記ピン針体の抜け止めを行うことを特徴とする物品支承装置用の止め具。
【発明の詳細な説明】
【０００１】
【産業上の利用分野】
本発明は、小物などの物品を支承する棚本体を、確実かつ長期にわたって固定させておくことができる物品支承装置および棚本体の取付方法，物品支承装置用の止め具に関する。
【０００２】
【従来の技術】
従来、棚板を壁面へ取り付ける際は、あらかじめ、Ｌ字状に形成した棚板支持金具を壁面へ多数個のピンなどにより打ち付け固定し、この支持金具の水平部へ棚板をビスで止め付けて、飾り棚を構成していた。（例えば、特許文献１参照。）
【０００３】
【特許文献１】
特開２０００−３３０２０号公報
【０００４】
しかしながら、この飾り棚は、棚板支持金具のピン孔へピンを通して単に壁へ打ち付けた構成であるため、多数個の内の一つのピンが棚板の揺れなどによってゆるんだときは、このピンの抜け方向を抑制するものがないため、次第にピン孔から抜けて棚板が落下することがあった。
【０００５】
また、固定する棚板以外に壁と棚板の間に取り付ける専用の棚板支持金具が必要となり、かつ、部品点数が増えて全体の飾り棚のコストアップとなる。
【０００６】
【発明が解決しようとする課題】
本発明は、前記した問題点を解決するためになされたもので、壁体の取付面へ当接する縦部材と物品を支承する受部材とからなる棚本体と、この棚本体を取付面へ固定させる止め具とを備えさせた物品支承装置にあって、止め具は、摘み体と、この摘み体の一側部に突出させて壁体に突き刺さるピン針体と、摘み体においてピン針体の付け根部に設けて該ピン針体の軸方向と直交する外方向へ張り出させた係合体とを有し、棚本体は、縦部材に穿設したピン針体が挿通する止め孔と、縦部材の内側における止め孔の近傍に設けてピン針体が該止め孔を挿通して壁体に突き刺した後、係合体と係合させてピン針体の抜け止めを行う係止体とを有することにより、小物などの物品を支承する棚本体を確実かつ長期にわたって固定させておくことができる物品支承装置および棚本体の取付方法，物品支承装置用の止め具を提供することを目的としている。
【０００７】
【課題を解決するための手段】
前記した目的を達成するための本発明の手段は、
壁体の取付面へ当接する縦部材と物品を支承する受部材とからなる棚本体と、この棚本体を前記取付面へ固定させる止め具とを備えさせた物品支承装置にあって、
前記止め具は、摘み体と、この摘み体の一側部に突出させて前記壁体に突き刺さるピン針体と、前記摘み体において前記ピン針体の付け根部に設けて該ピン針体の軸方向と直交する外方向へ張り出させた係合体とを有し、
前記棚本体は、前記縦部材に穿設した前記ピン針体が挿通する止め孔と、前記縦部材の内側における前記止め孔の近傍に設けて前記ピン針体が該止め孔を挿通して前記壁体に突き刺した後、前記係合体と係合させて、前記ピン針体の抜け止めを行う係止体とを有する物品支承装置の構成にある。
【０００８】
壁体の取付面へ当接する縦部材と物品を支承する受部材とからなる棚本体と、この棚本体を前記取付面へ固定させる止め具とを備えさせた物品支承装置にあって、
前記止め具は、摘み体と、この摘み体の一側部に突出させて前記壁体に突き刺さるピン針体と、前記摘み体において前記ピン針体の付け根部に設けて該ピン針体の軸方向と直交する外方向へ張り出させた係合体とを有し、
前記棚本体は、前記縦部材の内側において該棚本体へ傾斜させて突設させた支持体と、この支持体に穿設した前記ピン針体が挿通する止め孔と、この止め孔の近傍に設けて前記ピン針体が該止め孔を挿通して前記壁体に突き刺した後、前記係合体と係合させて前記ピン針体の抜け止めを行う係止体とを有する物品支承装置の構成にある。
【０００９】
止め具における係合体は、一箇所または複数箇所において張り出させる。
【００１０】
そして、
縦部材と物品を支承する受部材とを有する棚本体において、前記縦部材を壁体の取付面へ当接して、前記縦部材の止め孔に該縦部材の裏側から止め具におけるピン針体を挿通して前記壁体に突き刺した後、該止め具の係合体を前記縦部材の内側に設けた係止体に係合させて、前記ピン針体の抜け止めを行う棚本体の取付方法にある。
【００１１】
縦部材と物品を支承する受部材とを有する棚本体において、前記縦部材を壁体の取付面へ当接して、前記縦部材の止め孔に該縦部材の裏側から止め具におけるピン針体を挿通して前記壁体に突き刺した後、該止め具の外端部を前記棚本体に設けたストッパーに係合させて、前記ピン針体の抜け止めを行う棚本体の取付方法にある。
【００１２】
また、
摘み体と、この摘み体の一側部に突出させて前記壁体に突き刺さるピン針体と、前記摘み体において前記ピン針体の付け根部に設けて該ピン針体の軸方向と直交する外方向へ張り出させた係合体とを有し、
前記ピン針体を前記壁体に突き刺した後、棚本体の内側に設けた係止体へ前記係合体が係合させて、前記ピン針体の抜け止めを行う物品支承装置用の止め具の構成にある。
【００１３】
【実施例】
次に、本発明に関する物品支承装置および棚本体の取付方法，物品支承装置用の止め具の一実施例を図面に基づいて説明する。
図１〜図２および図６〜図８，図１１〜図１３においてＡは物品支承装置で、壁体ｂの取付面ｂ１へ当接する縦部材３と物品ｃを支承する受部材４とからなる棚本体１と、この棚本体１を取付面ｂ１へ固定させる止め具２とを備えさせてある。
【００１４】
棚本体１における縦部材３は、水平面を有する受部材４の外周部において、この受部材４より連接されて下方へ略直角状態に折曲されている。
また、取付面ｂ１への、縦部材３の当接は、該縦部材３の二辺が直交する直角に形成して、図２に示すように、壁体２のコーナー部において、その二つの取付面ｂ１へ跨るように行ったり、あるいは、図７，図８に示すように、一面の取付面ｂ１のみの場合もある。
【００１５】
そして、図１〜図６においては第一の実施例を示す物品支承装置Ａで、後記する止め具２におけるピン針体９が、壁体ｂにおける取付面ｂ１に対して直交するように（真っ直ぐに）差し込まれる例を示す。
【００１６】
すなわち、棚本体１は、縦部材３の適所において、厚さ方向へ貫通するように間隔的に多数個を穿設した後記するピン針体９が挿通する止め孔５と、縦部材３の内側における止め孔５の近傍に設けて、ピン針体９が該止め孔５を挿通して壁体ｂに突き刺した後、後記する係合体１０と係合させて、ピン針体９の抜け止めを行う係止体６とを有する。
【００１７】
前記した止め孔５は、止め具２のピン針体９の外径が納まり得る孔径に設けてあって、このピン針体９が挿入されたとき、該ピン針体９に当接して、棚本体１および物品ｃの荷重を支持するものである。
【００１８】
前記した係止体６は、止め具２のピン針体９における軸方向への移動を、いわゆる、該ピン針体９の抜ける方向への移動を規制させるもので、縦部材３の内側面との間に係合体１０が入り込む余裕を有する隙間７を形成させて、縦部材３か受部材４かに、あるいはこれら縦部材３と受部材４とに設けてある。この隙間７はできるだけ少ない方が、ピン針体９の抜け方向の移動の規制となる。
なお、係合体１０が下方へ向いたとき、この係止体６に係合するように、該係止体６を縦部材３の下側部に設けてもよいもので、重力によって該係合体１０が常に下方へ向いて、止め具２の回動の妄動が防止される。
【００１９】
前記した止め具２は、例えば、図４に示すように、摘み体８と、この摘み体８の一側部に突出させて壁体ｂに突き刺さるピン針体９と、摘み体８においてピン針体９の付け根部に設けて、該ピン針体９の軸方向と直交する外方向へ張り出させた係合体１０とを有している。
【００２０】
そして、摘み体８は、止め具２においてピン針体９を壁体ｂへ突き刺す、あるいは引き抜く際の指の支持部となるもので、その外周部に、係止突起１１を突設しておけば、止め具２の押し込みや引き抜きに際して指との滑り止めとなる。
【００２１】
前記したピン針体９は、所定長さを有して先端部を尖鋭に形成してあり、木質材や石膏ボード等からなる壁体ｂへ比較的容易に突き刺さるようにしてある。
【００２２】
前記した係合体１０は、ピン針体９の軸方向を中心として止め具２が回動したとき、縦部材３の内側面と係止体６との隙間７へ入り出自在となり、この隙間７へ入り込んだとき係止体６に係合するように構成される。また、この係合体１０は、摘み体８において張り出し部を有さない部分との位相は、図４（ｃ）に示すように、少なくとも、ピン針体９の軸方向を中心とした回動角θは、９０゜前後を有する。
また、この係合体１０のピン針体９側の外側面は、棚本体１における縦部材３の内側面への当接面となるもので、平滑状に形成されることが好ましい。
【００２３】
更に、該係合体１０は、摘み体８において、一箇所または複数箇所において張り出させてあるもので、すなわち、図４に示すように、ピン針体９の回動中心に対して、１８０゜の位相差をもって張り出させたり、図示してないが、１２０゜の位相差による三箇所へ放射状に張り出させたりするもので、複数設けることでいずれかの係合体１０が係止するので、係合体１０（ピン針体９）の回動角が少なくてすみ係止操作性に優れる。
また、図５に示すように、摘み体８において一箇所のみの構成であっても構わない。
【００２４】
したがって、前記のように構成される本発明に係る第一実施例の物品支承装置Ａおよび棚本体の取付方法，物品支承装置用の止め具２は、以下に述べる作用を奏する。
まず、壁体ｂにおけるコーナー部の取付面ｂ１，ｂ１へ棚本体１における縦部材３，３を当てて、図３（ａ）に示すように、棚本体１における縦部材３の裏側（内側）から止め孔５へ止め具２におけるピン針体９を、その当接体１０が係止体６の外側部に干渉しない位置に合わせて、取付面ｂ１，ｂ１へ向かって垂直に刺し込み、更に深く押し込むと、ピン針体９は壁体ｂにくい込む。
そして、止め具２の押し込みと共に、この止め具２の係合体１０がその外側面が棚本体１における縦部材３の裏側（内側）へ当たったとき、図３（ｂ）に示すように、摘み体８をピン針体９の軸方向を中心に回動させると、同図および図６（ａ），（ｂ）に示すように、係合体１０が共に回動して縦部材３の内側面と係止体６との隙間７へ入り、かつ、係止体６に係合する。
【００２５】
そのため、棚本体１の振動などの経年使用により、止め具２のピン針体９がゆるんで壁体ｂから外方へ抜け出ようとしても、止め具２の係合体１０が係止体６に当接してその移動を抑制するので、止め具２におけるピン針体９のそれ以上の外方への抜け出がなくなり、棚本体１の落下が防止される。
この場合、図１に示すように、縦部材３に対してその長さ方向の複数箇所において複数の止め具２により固定することで、棚本体１自体が取付面ｂ１より離れない限り、係止体６は絶えず止め具３の係合体１０の移動を規制することができるので、複数箇所の係止体６，６…が相乗的に係合体１０の移動規制を行うことができる。
【００２６】
なお、この第一の実施例にあって、止め具２の係合体１０と、棚本体１の縦部材３に設けた係止体６との係合にあっては、他の例も採用することができる。
例えば、図１１に示すように、縦部材３の裏側（内側）に止め具２の係合体１０より大寸法を有するバネ性等の弾性を有する保持部材２０を突設し、この保持部材２０の外端部における内周部に止め具２の係合体１０に係止する係止体６を設ける。保持部材２０の突設量は、係合体１０の厚さ分が納まる寸法に成形される。
【００２７】
これにより、図１１（ａ）に示すように、壁体ｂと取付面ｂ１へ棚本体１の縦部材３を当てた後、縦部材の止め孔５へ止め具２のピン針体９を押し込むと、係合体１０の外周部に形成されたピン針体９側へ向かってつぼまるテーパー状の摺動面１０ａが係止体６を押す。すると、弾性を有する保持部材２０が外方へ広がって係合体１０の保持部材２０内への挿入が可能となる。それに伴って、ピン針体９は壁体ｂへ刺し込まれる。
【００２８】
更に、止め具２を壁体ｂ側へ向かって押し込み、係合体１０の外側面が縦部材３の内側面に当たるまで押すと、係合体１０の厚さ分が保持部材２０内に納まると共に、保持部材２０の係止体６と係合体１０の摺動面１０ａとの当接が解除される。そして、保持部材２０はその弾性力により元の姿勢に復帰することで、図１１（ｂ）に示すように、係合体１０の内側面１０ｂに係合して係合体１０を包み込むようになり、ピン針体９の軸方向における抜ける方向への移動が規制される。したがって、この構成により、止め具２の抜け止め作用を発揮する。
【００２９】
次に、図７〜図１０においては第二の実施例を示す物品支承装置Ａで、棚本体１を止め付ける止め具２におけるピン針体９が、壁体ｂにおける取付面ｂ１に対して斜めとなるように差し込まれる例を示す。なお、この例において示される止め具２は、前記第一実施例において採用した止め具２と同様の構成により、同様の作用効果を奏するため、同一部材には同一符号を付して、その詳細な説明は第一実施例を援用し省略する。
【００３０】
すなわち、棚本体１は、縦部材３の内側において該棚本体１へ傾斜させて突設させた支持体１２と、厚さ方向へ貫通するように間隔的に多数個を支持体１２に穿設したピン針体９が挿通する止め孔５０と、この止め孔５０の近傍に設けてピン針体９が該止め孔５０を挿通して壁体ｂに突き刺した後、止め具２の係合体１０と係合させて、ピン針体９の抜け止めを行う係止体６０とを有する。
なお、縦部材３は、水平面を有する受部材４の外周部においてこの受部材４より連接されて下方へ略直角状態に折曲されていて、この縦部材３の外側面が壁体ｂの取付面ｂ１との取付対応面となる。
【００３１】
この棚本体１における支持体１２は、壁体ｂにおける取付面ｂ１への縦部材３の当接面に対して、水平方向において所定角度に傾斜した支持面１２ａを縦部材３の内側に形成させてある。そして、この支持面１２ａへ止め具２における係合体１０の外側面を当接させることにより、止め具２のピン針体９が壁体ｂに対して水平方向において所定角度で傾斜した姿勢により刺し込まれる。なお、このピン針体９の刺し込み姿勢は、垂直方向に対しては取付面ｂ１と略直角状態に刺し込まれるが、傾斜した状態であっても構わない。
【００３２】
前記した止め孔５０は、止め具２のピン針体９の外径が納まり得る孔径に設けてあって、該ピン針体９が挿入されたとき、棚本体１および物品ｃの荷重を支持するものである。
【００３３】
前記した係止体６０は、止め具２のピン針９体における軸方向への移動を、いわゆる、該ピン針体９の抜ける方向への移動を規制させるもので、縦部材３より所定傾斜状態に突設させた支持体１２の支持面１２ａとの間に、止め具２の係合体１０が入り込む余裕を有する隙間７０を形成させて、支持体１２か受部材４かに、あるいはこれら支持体１２と受部材４とに設けてある。
【００３４】
したがって、前記のように構成される本発明に係る第二実施例の物品支承装置Ａおよび棚本体の取付方法は、以下に述べる作用を奏する。
なお、この例における物品支承装置Ａは、壁体ｂの一面の取付面ｂ１のみに棚本体１の縦部材３が当接する例について述べるもので、下方へ掛かる荷重に対する補強として受部材４面と直交する支脚体１３を該受部材４の下側において設ける。
【００３５】
まず、壁体ｂの取付面ｂ１へ棚本体１における縦部材３を当てて、図１０（ａ）に示すように、棚本体１における縦部材３の裏側（内側）から止め孔５０へ止め具２におけるピン針体９を、その当接体１０が係止体６０の外側部に干渉しない位置に合わせて、取付面ｂ１へ向かって垂直に刺し込み、更に深く押し込むと、ピン針体９は壁体ｂにくい込む。
そして、止め具２の押し込みと共に、この止め具２の係合体１０がその外側面が棚本体１における縦部材３の裏側（内側）へ当たったとき、図１０（ｂ）に示すように、摘み体８をピン針体９の軸方向を中心に回動させると、同図および図９に示すように、係合体１０が共に回動して縦部材３の内側面と係止体６０との隙間７０へ入り、かつ、係止体６０に係合する。
【００３６】
そのため、棚本体１の振動などの経年使用により、止め具２のピン針体９がゆるんで壁体ｂから外方へ抜け出ようとしても、止め具２の係合体１０が係止体６０に当接してその移動を抑制するので、止め具２におけるピン針体９のそれ以上の外方への抜け出がなくなり、棚本体１の落下が防止される。
この場合、図７に示すように、縦部材３に対してその複数箇所において複数の止め具２により固定することで、棚本体１自体が取付面ｂ１より離れない限り、係止体６０は絶えず止め具３の係合体１０の移動を規制することができるので、複数箇所の係止体６０，６０…が相乗的に係合体１０の移動規制を行うことができる。
【００３７】
図１２〜図１３においては第三の実施例を示す物品支承装置Ａで、棚本体１の取付方法にあって、縦部材３と物品ｃを支承する受部材４とを有する棚本体１において、縦部材３を壁体ｂの取付面ｂ１へ当接して、縦部材３の止め孔５に該縦部材３の裏側から止め具２におけるピン針体９を挿通して壁体ｂに突き刺した後、該止め具２の外端部を棚本体３に設けたストッパー１４に係合させて、ピン針体９の抜け止めを行うものである。
【００３８】
すなわち、図１２に示す物品支承装置Ａにおいては、棚本体１における縦部材３の裏側（内側）において、止め孔５を穿設した周部におねじ体１５を突設してある。そして、この止め孔５に止め具２におけるピン針体９を挿入して壁体ｂへ突き刺した後、おねじ体１５のおねじへ袋ナット状のストッパー１４のめねじ１４ａを螺合すると、止め具２における摘み体８０の外端部に、ストッパー１４の内部受面１４ｂが当接して、ピン針体９の軸方向における抜ける方向に対する移動規制がなされる。
【００３９】
また、図１３に示す物品支承装置Ａにおいては、棚本体１における受部材４に縦部材３に穿設した止め孔５に挿入した止め具２における摘み体８０の外端部８０ａに、ストッパー１４の外周部１４ｃが当接するもので、このストッパー１４は、受部材４に穿設した取付孔１６から棚本体１の内部へ突出するように押し込むと、摘み体８０の外端部８０ａに対応する。これにより、ピン針体９の軸方向における抜ける方向に対する移動規制がなされる。
なお、止め具２における摘み体８０とストッパー１４の外周部１４ｃとの係合は、同図において仮想線で示すように、この摘み体８０をピン針体９の軸方向において外方への延設部８０ｂを形成し、この延設部８０ｂに係止孔８０ｃを穿設し、この係止孔８０ｃにストッパー１４の外周部１４ｃを係合させることで、ピン針体９の軸方向における抜ける方向に対する移動規制を行うこともできる。
【００４０】
【発明の効果】
前述のように構成される本発明は、止め具の抜け止めが施されているため、この止め具が長期の使用にあって抜け落ちることがなく、物品の支承にあって耐荷重性が向上すると共に、安心して物品の載置として使用することができる。
また、止め具を押し込むだけの簡単な操作で棚本体を壁体へ取り付けることができて作業性に優れる。更に、部品点数が少ないため安価に製作することができる。
【図面の簡単な説明】
【図１】本発明に関する物品支承装置の第一実施例を示す底面図である。
【図２】図１における物品支承装置の使用状態を示す斜視図である。
【図３】図１における物品支承装置の取付状態を示す斜視図で、（ａ）は止め部の取付前を、（ｂ）は止め部の取付後をそれぞれ示す。
【図４】本発明に関する物品支承装置用止め具を示すもので、（ａ）は斜視図、（ｂ）は縦断正面図、（ｃ）は平面図である。
【図５】図４における物品支承装置用止め具の他の例を示す正面図である。
【図６】図１における物品支承装置の取付後の状態の要部を示すもので、（ａ）は縦断側面図、（ｂ）は一部を破断した正面図である。
【図７】本発明に関する物品支承装置の第二実施例を示す底面図である。
【図８】図７における物品支承装置の使用状態を示す斜視図である。
【図９】図７における物品支承装置の一部の要部を示す底面図である。
【図１０】図７における物品支承装置の取付状態を示す斜視図で、（ａ）は止め部の取付前を、（ｂ）は止め部の取付後をそれぞれ示す。
【図１１】図１における物品支承装置の他の例を示す断面図で、ａ）は止め部の取付前を、（ｂ）は止め部の取付後をそれぞれ示す。
【図１２】本発明に関する物品支承装置の第三実施例を示す縦断側面図である。
【図１３】図１２における物品支承装置の他の例を示す縦断側面図である。
【符号の説明】
Ａ…物品支承装置．ｂ…壁体．ｂ１…取付面．ｃ…物品．１…棚本体．２…止め具．３…縦部材．４…受部材．５，５０…止め孔．６，６０…係止体．８，８０…摘み体．９…ピン針体．１０…係合体．
【図１】
2004202025.tif 000003
【図２】
2004202025.tif 000004
【図３】
2004202025.tif 000005
【図４】
2004202025.tif 000006
【図５】
2004202025.tif 000007
【図６】
2004202025.tif 000008
【図７】
2004202025.tif 000009
【図８】
2004202025.tif 000010
【図９】
2004202025.tif 000011
【図１０】
2004202025.tif 000012
【図１１】
2004202025.tif 000013
【図１２】
2004202025.tif 000014
【図１３】
2004202025.tif 000015